(57)【特許請求の範囲】
【請求項１】
著作権付き資料のみがいかなるディジタルメディアシステムにおいても再生可能又は使用可能てあることを保証する方法であって、
トランスポンダへ質問信号を送信し、応答の際にトランスポンダ応答信号を受信し、かつメディア素子上のデータ語を読み取るメディア再生装置と共に高周波質問器を集積するステップと、
所定メディア素子にトランスポンダを取り付けるステップであって、前記トランスポンダが前記質問信号に応答して前記質問器へコード語と、前記所定メディア素子に関連した所定アドレスとを含むトランスポンダ応答信号を送信する前記取り付けるステップと、
トランスポンダ応答信号を受信しかつ前記メディア再生装置へ前記所定アドレスを供給するステップと、
前記所定アドレスにおいて前記データ語を読み取るステップと、
前記データ語と前記コード語とを比較しかつ前記データ語と前記コード語との整合の際に前記メディア素子の再生又は使用を許可するステップと
を含む方法。
【発明の詳細な説明】
【０００１】
【発明の属する技術分野】
本発明は、一般に安全目的用高周波・識別（以下、ＲＦ−ＩＤと称する）システム、特に著作権付き資料の知的所有権を保護するＲＦ−ＩＤシステムに関する。
【０００２】
【従来の技術】
ＲＦ−ＩＤシステムは、益々かつ広い応用範囲にわたって盛んに使用されつつある。典型的なＲＦ−ＩＤシステムては、質問器がその読取り距離内のトランスポンダへ質問信号を送信し、このトランスポンダは、全二重伝送モードで質問信号を後方散乱させるか又は半二重伝送モードで質問信号によって付勢された後その識別信号を実際に送信するかのいずれかてその識別番号を送信することによって、応答する。ＲＦ−ＩＤ技術は、安全市場に地歩を既に固めている。トランスポンダは、安全バッジ、交通料金所、又は通用口に容易に取り付けられて、出入を許可又は禁止し、或は自動課金業務さえ、すなわち、有料道路、駐車場課金業務さえ行う。また、読取り装置は、料金徴収所、及び戸口内に容易に組み込まれるように構成されている。たとえ小規模であっても、ＲＦ−ＩＤシステムは、広汎多岐の品物に対する安全性を保ちかつ追跡能力を備えることができる。ＲＦ−ＩＤシステムの追跡面に関して見ると、倉庫、図書館、及び製造工場は、全て潜在的な実施場所である。しかしながら、ＲＦ−ＩＤシステムの安全面に関して見ると、秘密又は最高秘密政府文書の追跡及び安全保持は、物理的物体、すなわち、文書に接することを許可又は禁止することに焦点を当てる領域の１つである。物体を追跡し及び安全に保護することから更に拡張して、著作権付き物体、すなわち、ディジタルビデオディスク（以下、ＤＶＤと称する）及びディジタルビデオカセット（以下、ＤＶと称する）のみを再生装置、すなわち、ＤＶＤ再生装置上で再生させることが行われる。
【０００３】
著作権／アンチテープ（ａｎｔｉ−ｔａｐｅ）保護を実行するために利用可能な現行方法論は、「警告ラベル（Ｗａｒｎｉｎｇ  Ｌａｂｅ１）」以外ほとんど抑止力を構成するものがないと特徴付けることができる。このプログラム資料は、大部分のスタジオ映画での事前記録されたＶＨＳテープ、ＣＤ、カセット、ケーブル／衛星チャンネル経由放送映画等の、ほとんどアナログ、「有標（ｂｒａｎｄｅｄ）」マルチメディア内容である。最近までは製品の複写結果が元の親（Ｍａｓｔｅｒ）資料自体の品質を複製することができない程に甚だしく品質が劣化されたので、記録技師、大部分のスタジオ等は、このような不適当な防護対策（ｓａｆｅｇｕａｒｄ）を黙認してきた。
【０００４】
【発明が解決しようとする課題】
ＤＶＤ及びＤＶの出現に伴って、ディジタル内容メディアがアナログ内容を置換しかつその翌年又は翌々年内にはロールアウトされるので、内容所有者はディジタル内容メディアの不正複写及び不正再分配を防止する優れた誰にでもしくじることのない極めて確実な、すなわち、プールフールな技術的調査研究（ｆｏｏｌ−ｐｒｏｏｆ  ｔｅｃｈｎｉｃａｌ  ａｐｐｒｏａｃｈ）を見届けたいと思うであろう。
【０００５】
【課題を解決するための手段】
以下に説明される保護システムは、在庫管理、ペイ・パー・ユーズ（ｐａｙｐｅｒ  ｕｓｅ）価格決定取引き、階層（ｔｉｅｒｅｄ）レベルアクセス制御、及び人口統計学データ収集を含む、価値連鎖（ｖａｌｕｅ  ｃｈａｉｎ）内での全ての係争物預かり第三者（ｓｔａｋｅｈｏｌｄｅｒ）に追加の潜在利益を提供する。ＴＩＲＩＳ暗号調査研究は、著作権所有者に大きな価値及び保護を与え得るために、実装メディア材料の管理及び追跡に当たって新たなレベルの精巧性を使用可能とする。ＴＩＲＩＳ暗号は、平坦な無電池式高周波半導体トランスポンダ実装であって、著作権付きＤＶＤメディアの中央に接着又は埋め込まれる。再生装置内に配置されたＴＩＲＩＳトランシーバで以てしか読み取ることのできない多様な情報ビットを用いて解読されることによって、ディスクは真正性を検査される。
【０００６】
本発明は、「ＴＩＲＩＳ」トランスポンダ（又は他のＲＦ又はＩＲ又はバーコード又はその他の識別装置）を提案されたＤＶＤディスクの中心内に物理的に取り付ける又は埋め込むことを含む。トランスポンダのメモリ内で、所定アドレス及びコード語の両方がメディア製品の製造レベルにおいてトランスポンダ内へ前処理プログラムされる。メディア再生装置は、ディスクを再生する機能性を含むだけでなく、また質問信号をトランスポンダへ送信し、次いでトランスポンダからの応答信号を受信する機能性も含む。したがって、一旦ディスクがメディア再生装置に入力されると、メディア再生装置の質問部分がこのディスク上に配置されたトランスポンダヘ質問信号を送信する。それゆえ、質問信号で一旦付勢されると、このトランスポンダは、所定アドレスにアクセスしてかつトランスポンダのメモリからコード語を読み取る。次いで、トランスポンダは、アドレス及びコード語の両方をメディア再生装置内に配置された質問器へ送信し、かつメディア再生装置がディスク上の特定アドレス位置にアクセスする。メディア再生装置は、読み取られたデータ語と受信されたコード語との間に整合がある場合に限り再生する。この比較は、メディア再生装置の質問部分内又はメディア再生装置自体内で起こり得る。
【０００７】
完全「ＴＩＲＩＳ」暗号解決は、また、許可された使用者にのみに安全アクセスを行わせるために必要ななんらかのソフトウェアアルゴリズム／ファームウェアアルゴリズムを含むであろう。換言すれば、コード語及び所定アドレスの両方又はこれらのどちらかが、製造業者レベルで前処理プログラムされた又は顧客によってプログラムされた或る所定のアルゴリズムに従ってトランスポンダ内で暗号化されることがある。暗号化コード語及びアドレスの場合、これら両方がそれらの受信の際にメディア再生装置の質問部によって解読されるであろう。相当する質問器は、ＤＶＤ再生装置自体内又は「価値連鎖」内に含まれるどの機器内にも埋め込まれるであろう。「価値連鎖」は、小売レベルにおける最終分配に対するメディア生産、及び最終使用者に対するメディア生産、例えば、小売業者／貸出業者のＤＶＤメディア、ＤＶＤ再生装置等の生産ラインにおける検査レーンを含む。
【０００８】
【発明の実施例の形態】
ＴＩＲＩＳ式トランスポンダ（扁平かつ円形型式、直径約２．５ｃｍ、厚さ約５ｍｍ）は、これをメディア生産段階中種々のディジタル記憶メディア用に実現することができる。単一ページベースライントランスポンダは、２５６ビットから５１２ビットのメモリを有することがある。これらのビットは、メディア自体内に「コード化又は暗号化」アドレス位置と共に、メディア内容特定化用、特定ＩＤ、直列番号又はバッチ（ＢＡＴＣＨ）番号を記憶するように割り当てられることがある。このディスクアドレスは、ディスクプログラム資料内の何処かに埋め込まれている特定データに対するポインタとして働く。（認証が妥当検査された後になるまではプログラム内容のビューワにまだアクセス可能でない）ディジタルデータ流内のディスク上に含まれたこの特有データ語は、トランスポンダ自体のメモリ内に配置された予め指定されたコード語と比較される。もしこのメディアデータ語とＴＩＲＩＳコード語との間に整合があれば、認証は完全であって、その内容へ再生アクセスが行われる。
【０００９】
加えて、更に高いレベルの安全性を提供するために、「検査合計」語がまた認証方式に使用されることがある。データ整合又はアドレス整合用に事前記憶されたアルゴリズムを選択するためにルックアップテーブルアクセスが使用されることがある。意図したビット割当て方式の例は、図１に示されている。この例で、トランスポンダ応答データ流の最初の３２ビットの使用は、著作権付き資料の製造及び在庫管理に関する詳細なロギング情報を提供することがきる製品追跡データを含むことがあると云うことに注意されたい。いま上で注意した例での情報は、製品ＳＫＵ、バッチ♯、日付、及び位置コードである。
【００１０】
テータの中央１６０ビットはＤＶＤ自体上のデータ語の６４ビット物理アドレスに専用され、次の６４ビットはＴＩＲＩＳトランスポンダコード語に指定される。図解目的のためにのみ示された最終３２ビットは、もし適用可能ならば解読方式に使用される３２ピットを含む、すなわち、もしコード語及び（又は）所定アドレスがトランスポンダによって暗号化されているならば、そのトランスポンダは、暗号化コード語及び（又は）所定アドレスを用いて３２ビットまでの解読方式を送ることがあり、質問器にこれを用いて解読させる。この例を用いて説明を続づけると、（図１に示されたように）最終６４ビットを、ラン／経過ビューイングのような、すなわち、タイムカウンタのような、製造後再書込み可能データを含むように予約することができるあろう。このタイムカウンタは、メディアが再生又は使用された回数を計数する、すなわち、ペイ・パー・ビュー価格決定を可能にし、又はラン指定価格決定用許可ランの数を制限し、かつまた「書込み」サイクルの数を記憶する。更に進歩した読取り装置は、これらのビットを、メディア用途の足跡りがニールセン（Ｎｉｅｌｓｏｎ）のような放送のみに基づく視聴率調査組織ばかりでなく劇場入場券販売からも遠退くに従って、遠隔制御ボーリング能力を提供するために使用することができるであろう。加えて、このシステムによって創出される実時間用途データ、取り引き監査証跡からの傾向が、使用者実時間ニールセン式視聴率（ｒａｔｉｎｇ）を内容所有者、小売業者の相手先商標商品製造会社（以下、ＯＥＭと称する）等へのフィードバックのために使用可能とするであろう。標的とする聴衆に適当な広告供給を行うために、ＴＩＲＩＳシステムを備える再生装置を（ネットワークカードの双方向通信リンクを通して）実時間にポールすることができる。これは、製品有標化、販売促進等に当たる広告業者へ臨時の利益をもたらす。
【００１１】
ＤＶＤ即ちメディア再生装置所有者に対する追加的特徴は、個人メディア内容ライブラリ管理機能を創出するためにメディアベース情報と一緒にＴＩＲＩＳトランスポンダ情報を利用できることであろう。
【００１２】
安全方式の集積性を更に保護するために、ＴＩＲＩＳ読取り装置機能／質問器機能及び整合プロセスを、内部的に、すなわち、質問ＩＣの内部通信バス上で完成しなければならない。ＭＰＥＧデコーダを、またメディア再生装置の知能内にも配置することができ、その結果、コードを破壊しかつ保護を破ろうとする企ては極めて困難なものとなろう。単一ＩＣチップ上のＴＩＲＩＳ質問器／読取り及びＭＰＥＧデコーダは、このような構成が著作権の保護を助成するであろうから大いに望ましい。
【００１３】
認証が成功した際には、使用率カウンタ又は他の使用ビットカクンタ、及びトランスポンダの書込み可能素子は、小売業者、再販業者、最終利用者、及び内容提供者又はこれらの代理権者、すなわちＸ知的所有権／使用料回収第三者又は代理権者等のような価値連鎖内にアクセス可能である。「有標」内容が真正性と不整合である際には、ＤＶＤ再生装置は「不当プログラム複写」の検出を表示することができるであろう。そこで、ＴＩＲＩＳ読取り装置は、オンスクリーンディスプレイ（ＯＳＤと称する）メッセージとしておそらく記憶してある事前記録著作権警告位置／注意位置へスイッチするであろう。
【００１４】
高目的応用の場合、すなわち読書き多ベージトランスポンダを使用する場合、在庫管理、後方支援、及び小売管理機能性が可能であって、具体化が小売業者、機器製造業者（ハードウェアＯＥＭ）、再販業者、及び再分配業者に利益を持たらすであろう。製造業者の日付／場所、編集番号／カタログ番号のような「事前配置起点データ」はＤＶＤ内に埋め込まれかつ暗号化されて、古い既に所有されている合法メディアに対する優れた遺産システム無効化を行う。近く登場してくるＤＶＤ再生装置は、種々のメディア型式間の差異を区別することができると期待される。
【００１５】
もしメディア型式が（音楽ＣＤ又はＣＤ  ＲＯＭにおけるような）初期の型式のものであると判定されるならば、ＤＶＤ再生装置／ＴＩＲＩＳ読取り装置は、もちろんＭＰＥＧデータ流をデコードしなくて済むであろう。従って、このような材料の通常再生を行わせるであろう。これに代わり、元からのかつ純正の非ＴＩＲＩＳ暗号ＤＶＤメディア（すなわち、ＴＩＲＩＳ暗号で暗号化された材料になる前に循環中のもの）を扱う場合、再生装置／読取り装置は、初期型式を含んだＤＶＤ埋込み日付コードを検出しかつ限定された数の再生アクセスを容認するであろう。（トランスポンダ使用者ビットデータフィールド内のランカウンタで以て追跡される）この再生数を超えると、適合するメディアの購入に供するために下取り及び格上げメッセージを表示することができるであろう。
【００１６】
【発明の効果】
この方式は、著作権侵害されたメディアを著作権所有者に有効に伝えてその更に取るべき処置に供しかつ合法所有者に彼らの材料を適合させるであろう一方、著作権所有者に価値ある人口統計学情報を供給するであろう。ハードウェア、ファームウェア／ソフトウェアサブシステムの上述の組合わせ方法論は、有標内容の著作権保護のための「ＴＩＲＩＳ暗号サプシステム」と称されることがある。
【００１７】
以上に詳説した本発明は、高価値、高品質、ディジタル的に圧縮された内容を本質的に記憶するであろうＤＶＤ次世代コンパクト／光ディスクに対する著作権及び安全アクセス保護問題に取り組む。簡単のために、議論は、ここではＤＶＤ型式材料のみに限定されている。しかしながら、本発明の範囲は遥かに広く、図２に概略的に示されたように、関連した再生装置及び機器を備える他の実装メディア型式を含むことができる。更に、トランスポンダは、読取り専用能力又は読書き能力、単一ページ能力又は多重ページ能力を持つことができるであろう。そのコスト制約条件及び（又は）システム要件が、実際にはこれらのパラメータを規定するであろう。
【００１８】
以上の説明に関して更に以下の項を開示する。
【００１９】
（１）  著作権付き資料のみがいかなるディジタルメディアシステムにおいても再生可能又は使用可能であることを保証する方法であって、
トランスポンダへ質問信号を送信し、応答の際にトランスポンダ応答信号を受信し、かつメディア素子上のデータ語を読み取るメディア再生装置と共に高周波質問器を集積するステップと、
所定メディア素子にトランスポンダを取り付けるステップであって、前記トランスポンダが前記質問信号に応答して前記質問器へコード語と、前記所定メディア素子に関連した所定アドレスとを含むトランスポンダ応答信号を送信する前記取り付けるステッブと、
トランスポンダ応答信号を受信しかつ前記メディア再生装置へ前記所定アドレスを供給するステップと、
前記所定アドレスにおいて前記データ語を読み取るステップと、
前記データ語と前記コード語とを比較しかつ前記データ語と前記コード語との整合の際に前記メディア素子の再生又は使用を許可するステップと
を含む方法。
【００２０】
（２）  第１項記載の方法において、前記コード語と前記所定アドレスとが製造レベルにおいて前記トランスポンダメモリ内へプログラムされる方法。
【００２１】
（３）  第１項記載の方法において、前記コード語と前記所定アドレスとが顧客レベルにおいて前記トランスポンダメモリ内へプログラムされる方法。
【００２２】
（４）  第１項記載の方法において、前記コード語と前記所定アドレスとのうちの少なくとも１つが前記トランスポンダによって暗号化される方法。
【００２３】
（５）  第２項記載の方法において、前記コード語と前記データ語との前記比較が同じ集積回路内で遂行される方法。
【００２４】
（６）  第１項記載の方法において、前記比較がルックアップテエーブルを通して達成される方法。
【００２５】
（７）  第１項記載の方法において、前記比較が直接行われる方法。
【００２６】
（８）  第１項記載の方法において、前記比較がアルゴリズムを通して遂行される方法。
【００２７】
（９）本発明は、「ＴＩＲＩＳ」トランスポンダ（又は他のＲＦ又はＩＲ又はバーコード又はその他の識別装置）を提案されたＤＶＤディスクの中心内に物理的に取り付ける又は埋め込むことを含む。トランスポンダのメモリ内で、所定アドレス及びコード語の両方がメディア製品の製造レベルにおいて前記トランスポンダ内へ前処理プログラムされる。メディア再生装置は、前記ディスクを再生する機能性を含むだけでなく、また質問信号を前記トランスポンダへ送信し、次いで前記トランスポンダからの応答信号を受信する機能性も含む。したがって、いったんディスクがメディア再生装置に入力されると、前記メディア再生装置の質問部分が前記ディスク内に配置された前記トランスポンダへ質問信号を送信する。それゆえ、質問信号でいったん付勢されると、前記トランスポンダは、所定アドレスにアクセスしてかつ前記トランスポンダのメモリからコード語を読み取る。次いで、前記トランスポンダは、前記アドレス及び前記コード語の両方を前記メディア再生装置内に配置された質問器へ送信し、かつ前記メディア再生装置が前記ディスク上の特定アドレス位置にアクセスする。前記メディア再生装置は、読み取られたデータ語と受信されたコード語との間に整合がある場合に限り再生する。前記比較は、前記メディア再生装置の質問部分内又は前記メディア再生装置自体内で起こることができる。
【図面の簡単な説明】
【図１】  本発明の方法の実施例により中心内にＴＩＲＩＳ暗号トランスポンダが埋め込まれたＤＶＤ／ＣＤ／ＳＷディスクの側面図及び平面図。
【図２】  様々な技術領域における本発明の適用可能な範囲及び幅をテーブルにして示す線図。
【図１】
0003866376.tif 000002
【図２】
0003866376.tif 000003